【手続補正書】
【提出日】平成15年9月1日(2003.9.1)
【手続補正１】
【補正対象書類名】特許請求の範囲
【補正対象項目名】全文
【補正方法】変更
【補正の内容】
【特許請求の範囲】
【請求項１】
患者の体内で物体を安定化する方法であって、該方法は、以下の工程：
該患者の体内に流動可能形状で第一材料を注入して、物体を接触させる工程であって、該第一材料は、架橋可能重合体を含有する、工程；
該第一材料を第二材料と接触させる工程であって、該第二材料は、架橋剤を含有し、該第一材料および該第二材料は、接触すると、該患者の体内で、ゲルを形成する、工程；ならびに
該ゲルを該物体と接触可能にすることにより、該患者の体内で該物体を安定化する工程、を包含する、方法。
【請求項２】
前記第一材料が、アニオン性架橋可能重合体、カチオン性架橋可能重合体または非イオン性架橋可能重合体の１種またはそれ以上を含有する、請求項１に記載の方法。
【請求項３】
前記第一材料が、ポリアクリル酸、ポリメタクリル酸、アルギン酸、ペクチニン酸、アルギン酸ナトリウム、アルギン酸カリウム、カルボキシメチルセルロース、ヒアルロン酸、ヘパリン、カルボキシメチルデンプン、カルボキシメチルデキストラン、ヘパリン硫酸、コンドロイチン硫酸、ポリエチレンアミン、多糖類、キトサン、カルボキシメチルキトサン、カチオン性デンプンまたはそれらの塩の１種またはそれ以上を含有する、請求項１に記載の方法。
【請求項４】
前記第二材料が、アニオン性架橋イオン、カチオン性架橋イオンまたは非イオン性架橋剤の１種またはそれ以上を含有する、請求項１に記載の方法。
【請求項５】
前記第二材料が、リン酸塩、クエン酸塩、ホウ酸塩、コハク酸塩、マレイン酸塩、アジピン酸塩、シュウ酸塩、カルシウム、マグネシウム、バリウム、ストロンチウム、ホウ素、ベリリウム、アルミニウム、鉄、銅、コバルト、鉛または銀のイオンの１種またはそれ以上を含有する、請求項１に記載の方法。
【請求項６】
前記第二材料が、ジビニルスルホン、ポリカルボン酸、ポリカルボン酸無水物、ポリアミン、エピハロヒドリン、ジエポキシド、ジアルデヒド、ジオール、カルボン酸ハロゲン化物、ケテン、多官能性アジリジン、多官能性カルボジイミド、ポリイソシアネート、グルタルアルデヒド、または有機酸基と反応できる官能基を含む多官能性架橋剤の１種またはそれ以上を含有する、請求項１に記載の方法。
【請求項７】
さらに、前記ゲルから前記物体を回収する工程を包含する、請求項１に記載の方法。
【請求項８】
さらに、前記物体にエネルギーを加えて、該物体を少なくとも２個の断片に分割する工程を包含し、該断片の少なくとも一部が、少なくとも部分的に、前記ゲルと接触したままであり、該ゲルにより安定化される、請求項１に記載の方法。
【請求項９】
前記エネルギーが、機械エネルギー、振動エネルギー、光エネルギー、化学エネルギーおよび電磁エネルギーからなる群から選択される、請求項８に記載の方法。
【請求項１０】
前記物体が、体外衝撃波砕石術、体内衝撃波砕石術またはホルミウムレーザー断片化からなる群から選択される技術により、少なくとも２個の断片に分割される、請求項８に記載の方法。
【請求項１１】
さらに、前記ゲルから前記断片の少なくとも一部を回収する工程を包含する、請求項８に記載の方法。
【請求項１２】
前記ゲルから前記断片の少なくとも一部を回収する工程が、このような断片を回収する回収装置を使用することを包含する、請求項１１に記載の方法。
【請求項１３】
さらに、前記ゲルを第三材料と接触させる工程を包含し、該第三材料が、脱架橋剤を含有する、請求項１に記載の方法。
【請求項１４】
前記第三材料が、リン酸ナトリウム、クエン酸ナトリウム、無機硫酸塩、エチレンジアミン四酢酸およびエチレンジアミン四酢酸塩、クエン酸塩、有機リン酸塩（例えば、リン酸セルロース）、無機リン酸塩（例えば、トリポリリン酸五ナトリウム、一塩基性リン酸カリウムおよび二塩基性リン酸カリウム、ピロリン酸ナトリウム）、リン酸、カルボキシメチルオキシコハク酸三ナトリウム、ニトリロ三酢酸、マレイン酸、シュウ酸塩、ポリアクリル酸、ナトリウム、カリウム、カルシウムまたはマグネシウムのイオンの１種またはそれ以上を含有する、請求項１３に記載の方法。
【請求項１５】
患者の体内で物体を断片化する方法であって、該方法は、以下の工程：
該患者の体内に流動可能形状で第一材料を注入して、物体を接触させる工程；
該患者の体内で該第一材料を第二材料と接触させることにより、ゲルを形成する工程；
該ゲルを該物体と接触可能にすることにより、該患者の体内で該物体を安定化する工程；ならびに
該患者の体外から該物体に向けてエネルギーを加える工程であって、該エネルギーは、該物体を、少なくとも２個の断片に分割する、工程、
を包含する、方法。
【請求項１６】
前記エネルギーが、体外衝撃波砕石術により発生される、請求項１５に記載の方法。
【請求項１７】
前記第一材料が、架橋可能重合体、ゼラチン材料または下部臨界完溶温度材料の１種またはそれ以上を含有する、請求項１５に記載の方法。
【請求項１８】
前記第一材料が、ポリオキシエチレン−ポリオキシプロピレンブロック共重合体を含有する、請求項１５に記載の方法。
【請求項１９】
さらに、前記ゲルから前記安定化物体を回収する工程を包含する、請求項１５に記載の方法。
【請求項２０】
さらに、前記物体を少なくとも２個の断片に分割する工程を包含し、該断片の少なくとも一部が、前記ゲルと接触したままである、請求項１５に記載の方法。
【請求項２１】
さらに、前記ゲルから前記断片の少なくとも一部を回収する工程を包含する、請求項２０に記載の方法。
【請求項２２】
さらに、前記下部臨界完溶温度材料を分解調節材料と接触させる工程を包含する、請求項１７に記載の方法。
【請求項２３】
前記分解調節材料が、プルロン酸、ポリ酢酸、ポリグリコール酸およびヒアルロン酸からなる群から選択される、請求項２２に記載の方法。
【請求項２４】
患者の体内で物体を安定化するシステムであって、該システムは、以下の部分：
第一材料であって、該第一材料は、流動可能形状で、架橋可能重合体を含有する、第一材料；
第二材料であって、該第二材料は、架橋剤を含有し、その結果、該第一材料および該第二材料は、接触すると、該患者の体内でゲルを形成する、第二材料；
カテーテルであって、該カテーテルは、流動可能形状で、該第一材料および該第二材料を該患者の体内に移動し、その結果、該第一材料および該第二材料により形成された該ゲルは、該物体に接触して、それにより、該物体を安定化する、カテーテル；ならびに
ガイドワイヤであって、該ガイドワイヤは、該カテーテルを該患者の体内に導入し案内する、ガイドワイヤ、
を備える、システム。
【請求項２５】
前記第一材料が、アニオン性架橋可能重合体、カチオン性架橋可能重合体または非イオン性架橋可能重合体の１種またはそれ以上を含有する、請求項２４に記載のシステム。
【請求項２６】
前記第一材料が、ポリアクリル酸、ポリメタクリル酸、アルギン酸、ペクチニン酸、アルギン酸ナトリウム、アルギン酸カリウム、カルボキシメチルセルロース、ヒアルロン酸、ヘパリン、カルボキシメチルデンプン、カルボキシメチルデキストラン、ヘパリン硫酸、コンドロイチン硫酸、ポリエチレンアミン、多糖類、キトサン、カルボキシメチルキトサン、カチオン性デンプンまたはそれらの塩の１種またはそれ以上を含有する、請求項２４に記載のシステム。
【請求項２７】
前記第二材料が、アニオン性架橋イオン、カチオン性架橋イオンまたは非イオン性架橋剤の１種またはそれ以上を含有する、請求項２４に記載のシステム。
【請求項２８】
前記第二材料が、リン酸塩、クエン酸塩、ホウ酸塩、コハク酸塩、マレイン酸塩、アジピン酸塩、シュウ酸塩、カルシウム、マグネシウム、バリウム、ストロンチウム、ホウ素、ベリリウム、アルミニウム、鉄、銅、コバルト、鉛または銀のイオンの１種またはそれ以上を含有する、請求項２４に記載のシステム。
【請求項２９】
前記第二材料が、ジビニルスルホン、ポリカルボン酸、ポリカルボン酸無水物、ポリアミン、エピハロヒドリン、ジエポキシド、ジアルデヒド、ジオール、カルボン酸ハロゲン化物、ケテン、多官能性アジリジン、多官能性カルボジイミド、ポリイソシアネート、グルタルアルデヒド、または有機酸基と反応できる官能基を含む多官能性架橋剤の１種またはそれ以上を含有する、請求項２４に記載のシステム。
【請求項３０】
患者の体内で物体を安定化するシステムであって、該システムは、以下の部分：
第一材料であって、架橋可能重合体を含有する、第一材料；
第二材料であって、該第二材料は、架橋剤を含有し、その結果、該第一材料および該第二材料は、接触すると、該患者の体内で、ゲルを形成する、第二材料；ならびに
経皮アクセス装置であって、該経皮アクセス装置は、流動可能形状で、該第一材料および該第二材料を該患者の体内に注入し、その結果、該第一材料および該第二材料により形成された該ゲルは、該物体に接触して、それにより、該物体を安定化する、経皮アクセス装置、
を備える、システム。
【請求項３１】
前記第一材料が、アニオン性架橋可能重合体、カチオン性架橋可能重合体または非イオン性架橋可能重合体の１種またはそれ以上を含有する、請求項３０に記載のシステム。
【請求項３２】
前記第一材料が、ポリアクリル酸、ポリメタクリル酸、アルギン酸、ペクチニン酸、アルギン酸ナトリウム、アルギン酸カリウム、カルボキシメチルセルロース、ヒアルロン酸、ヘパリン、カルボキシメチルデンプン、カルボキシメチルデキストラン、ヘパリン硫酸、コンドロイチン硫酸、ポリエチレンアミン、多糖類、キトサン、カルボキシメチルキトサン、カチオン性デンプンまたはそれらの塩の１種またはそれ以上を含有する、請求項３０に記載のシステム。
【請求項３３】
前記第二材料が、アニオン性架橋イオン、カチオン性架橋イオンまたは非イオン性架橋剤の１種またはそれ以上を含有する、請求項３０に記載のシステム。
【請求項３４】
前記第二材料が、リン酸塩、クエン酸塩、ホウ酸塩、コハク酸塩、マレイン酸塩、アジピン酸塩、シュウ酸塩、カルシウム、マグネシウム、バリウム、ストロンチウム、ホウ素、ベリリウム、アルミニウム、鉄、銅、コバルト、鉛または銀のイオンの１種またはそれ以上を含有する、請求項３０に記載のシステム。
【請求項３５】
前記第二材料が、ジビニルスルホン、ポリカルボン酸、ポリカルボン酸無水物、ポリアミン、エピハロヒドリン、ジエポキシド、ジアルデヒド、ジオール、カルボン酸ハロゲン化物、ケテン、多官能性アジリジン、多官能性カルボジイミド、ポリイソシアネート、グルタルアルデヒド、または有機酸基と反応できる官能基を含む多官能性架橋剤の１種またはそれ以上を含有する、請求項３０に記載のシステム。
【請求項３６】
患者の体内で物体を安定化し排除する方法であって、該方法は、以下の工程：
該患者の体内に流動可能形状で下部臨界完溶温度材料を注入して、該物体と接触させる工程；
該体内の温度によって、該下部臨界完溶温度材料に体内でゲルを形成させる工程であって、その結果、該物体は、少なくとも部分的に、該ゲル内に含有され、それにより、該ゲルによって安定化される、工程；ならびに
該物体を該体内から回収するか、破壊するか、そうでなければ、排除する工程、
を包含する、方法。
【請求項３７】
前記下部臨界完溶温度材料が、前記患者のおよその体内の温度より低い温度で、前記流動可能形状のままである、請求項３６に記載の方法。
【請求項３８】
前記ゲルが、前記患者のおよその体内の温度以上で形成される、請求項３７に記載の方法。
【請求項３９】
前記下部臨界完溶温度材料が、逆熱ゲル化特性を備えたブロック共重合体を含有する、請求項３８に記載の方法。
【請求項４０】
前記ブロック共重合体が、ポリオキシエチレン−ポリオキシプロピレンブロック共重合体を含有する、請求項３９に記載の方法。
【請求項４１】
前記ブロック共重合体が、ポリエチレンオキシドおよびポリプロピレンオキシドの生体分解性で生体適合性の共重合体を含有する、請求項３９に記載の方法。
【請求項４２】
前記ブロック共重合体が、約５，０００〜約２５，０００の範囲の分子量を有する、請求項４０に記載の方法。
【請求項４３】
さらに、前記ゲルから前記安定化した物体を回収する工程を包含する、請求項３６に記載の方法。
【請求項４４】
前記物体が、腎臓結石を含有する、請求項３６に記載の方法。
【請求項４５】
さらに、前記物体を少なくとも２個の断片に分割する工程を包含し、該少なくとも２個の断片の少なくとも一部が、少なくとも部分的に、前記ゲル内に残り、該ゲルにより安定化される、請求項３６に記載の方法。
【請求項４６】
さらに、前記ゲルから、前記少なくとも２個の断片の前記少なくとも一部を回収する工程を包含する、請求項４５に記載の方法。
【請求項４７】
前記下部臨界完溶温度材料が、治療薬を含有する、請求項３６に記載の方法。
【請求項４８】
前記治療薬が、抗血管形成薬を含有する、請求項４７に記載の方法。
【請求項４９】
患者の体内の天然の生体物質または外来の生体物質から形成された物体を安定化するシステムであって、該システムは、以下の部分：
下部臨界完溶温度材料であって、該下部臨界完溶温度材料は、患者のおよその体内の温度より低い温度では、流動可能形状のままであるが、患者のおよその体内の温度以上では、ゲルを形成する、下部臨界完溶温度材料；
カテーテルであって、該カテーテルは、該下部臨界完溶温度材料を流動可能形状で体内に移動する、カテーテル；および
ガイドワイヤであって、該ガイドワイヤは、該カテーテルを該体内に導入し、それを該物体のおよその位置に案内する、ガイドワイヤ；および
機構であって、該機構は、該下部臨界完溶温度材料を、流動可能形状で、該カテーテルを通して体内に入れて、該物体と接触させ、その結果、該下部臨界完溶温度材料は、体内の温度によって体内でゲル化し、そして該ゲル内に該物体の少なくとも一部を含有して、該ゲルで該物体を安定化する、機構、
を備える、システム。
【請求項５０】
前記カテーテルがまた、前記下部臨界完溶温度材料を体内から除去する際に使用される、請求項４９に記載のシステム。
【請求項５１】
前記機構が、注射器を含む、請求項４９に記載のシステム。
【請求項５２】
前記下部臨界完溶温度材料が、逆熱ゲル化特性を備えたブロック共重合体を含有する、請求項４９に記載のシステム。
【請求項５３】
前記ブロック共重合体が、ポリオキシエチレン−ポリオキシプロピレンブロック共重合体を含有する、請求項５２に記載のシステム。
【請求項５４】
前記ブロック共重合体が、ポリエチレンオキシドおよびポリプロピレンオキシドの生体分解性で生体適合性の共重合体を含有する、請求項５２に記載のシステム。
【請求項５５】
前記ブロック共重合体が、約５，０００〜約２５，０００の範囲の分子量を有する、請求項５３に記載のシステム。
【請求項５６】
前記物体が、腎臓結石を含有する、請求項４９に記載のシステム。
【請求項５７】
前記下部臨界完溶温度材料が、治療薬を含有する、請求項４９に記載のシステム。
【請求項５８】
前記治療薬が、抗血管形成薬を含有する、請求項５７に記載のシステム。
【請求項５９】
患者の体内の天然の生体物質または外来の生体物質から形成された物体を安定化するシステムであって、該システムは、以下の部分：
下部臨界完溶温度材料であって、該下部臨界完溶温度材料は、患者のおよその体内の温度より低い温度では、流動可能形状のままであるが、患者のおよその体内の温度以上では、ゲルを形成する、下部臨界完溶温度材料；
経皮アクセス装置であって、該経皮アクセス装置は、該下部臨界完溶温度材料を流動可能形状で体内に移動する、経皮アクセス装置；および
機構であって、該機構は、該下部臨界完溶温度材料を、流動可能形状で、該経皮アクセス装置を通して体内に入れて、該物体と接触させ、その結果、該下部臨界完溶温度材料は、体内の温度によって体内でゲル化し、そして該ゲル内に該物体の少なくとも一部を含有して、該ゲルで該物体を安定化する、機構、
を備える、システム。
【請求項６０】
前記経皮アクセス装置が、針を含む、請求項５９に記載のシステム。
【請求項６１】
さらに、前記下部臨界完溶温度材料を体内から除去するためのカテーテルを備える、請求項５９に記載のシステム。
【請求項６２】
前記機構が、注射器を含む、請求項５９に記載のシステム。
【請求項６３】
前記下部臨界完溶温度材料が、逆熱ゲル化特性を備えたブロック共重合体を含有する、請求項５９に記載のシステム。
【請求項６４】
前記ブロック共重合体が、ポリオキシエチレン−ポリオキシプロピレンブロック共重合体を含有する、請求項６３に記載のシステム。
【請求項６５】
前記ブロック共重合体が、ポリエチレンオキシドおよびポリプロピレンオキシドの生体分解性で生体適合性の共重合体を含有する、請求項６３に記載のシステム。
【請求項６６】
前記ブロック共重合体が、約５，０００〜約２５，０００の範囲の分子量を有する、請求項６４に記載のシステム。
【請求項６７】
前記物体が、腎臓結石を含有する、請求項５９に記載のシステム。
【請求項６８】
前記下部臨界完溶温度材料が、治療薬を含有する、請求項５９に記載のシステム。
【請求項６９】
前記治療薬が、抗血管形成薬を含有する、請求項６８に記載のシステム。
【請求項７０】
さらに、ガイドワイヤを備え、該ガイドワイヤが、前記カテーテルを前記体内に導入し、それを前記物体のおよその位置に案内する、請求項４９に記載のシステム。
【請求項７１】
前記カテーテルがまた、前記下部臨界完溶温度材料を前記体内から除去する際に使用される、請求項７０に記載のシステム。
【請求項７２】
前記機構が、注射器を含む、請求項７０に記載のシステム。
【請求項７３】
前記下部臨界完溶温度材料が、逆熱ゲル化特性を備えたブロック共重合体を含有する、請求項７０に記載のシステム。
【請求項７４】
前記ブロック共重合体が、ポリオキシエチレン−ポリオキシプロピレンブロック共重合体を含有する、請求項７３に記載のシステム。
【請求項７５】
前記ブロック共重合体が、ポリエチレンオキシドおよびポリプロピレンオキシドの生体分解性で生体適合性の共重合体を含有する、請求項７３に記載のシステム。
【請求項７６】
さらに、前記ゲルを第三材料と接触させることにより、該ゲルを溶解する工程を包含し、該第三材料が、脱架橋剤を含有する、請求項１５に記載の方法。
【請求項７７】
さらに、第三材料を含み、該第三材料が、脱架橋剤を含有する、請求項２４に記載のシステム。
【請求項７８】
さらに、第三材料を含み、該第三材料が、脱架橋剤を含有する、請求項３０に記載のシステム。